(57)【要約】      （修正有）【課題】商品などに一旦貼り付けてもサービス期間の終了後に、商品やその包装物を傷めることなく容易に取り去ることができる値引きシールを提供する。【解決手段】値引きシール１は、商品を収容するパックＧの包装フィルムＦの表面に張り付けて、包装フィルムＦに貼り付けられているラベルに表示された本来の販売価格から値引くことを表示する。値引きシール１はほぼ中央の切断線４を境に連続するシール本体部２と値引表示部３とを有する。シール本体部２の表面にはパック商品Ｇの商品名を表示し、裏面には包装フィルムＦに貼り付けるための接着剤層を形成する。値引表示部３の表面には値引きの内容を表示し、裏面には接着剤層を形成しない。切断線４はシール本体部２と値引表示部３との境界に沿うミシン目により形成され両者を容易に分離できる。【選択図】図５
2009098214.tif 000002
【特許請求の範囲】
【請求項１】
値引き対象であることを表示し、限定されたサービス期間中、商品又は商品を覆う包装物に貼り付けられる値引きシールにおいて、
裏面に接着部を有するシール本体部と、
このシール本体部に隣接して設けられ、表面に値引き内容を表示し、裏面に接着部を有しない値引き表示部と、
前記シール本体部と値引き表示部との境界に沿って形成された切断線とを具備し、
前記値引き表示部は、切断線に沿ってシール本体部から切り離して前記商品又は包装物から取り去り可能であることを特徴とする値引きシール。
【請求項２】
前記切断線はミシン目であることを特徴とする請求項１に記載の値引きシール。
【請求項３】
前記シール本体部の表面には値引き対象の商品名を表示することを特徴とする請求項１に記載の値引きシール。
【発明の詳細な説明】
【技術分野】
【０００１】
本発明は、限定されたサービス期間中商品又はこれを覆う包装物に貼り付けられる値引きシールに関するものである。
【背景技術】
【０００２】
従来、スーパーマーケットなどの小売店等において特定商品の値引きセールが行われる。このような値引きセールは一定のサービス期間中対象商品に値引き率や値引き価格等を表示したシールを貼って当該商品を売り場に陳列することにより行われる。そして、サービス期間が終了すると値引きシールを剥ぎ取るなどしている。
また、商品又は商品に付着したラベルに表示されたバーコード上に直接値引き用シールを張り付けてバーコードの読取りを阻止し、このシールを剥したら、バーコードが完全な状態で露呈して読取りを行うことができるようにしたバーコード用値引きシールがある（特許文献１）。この値引きシールは、表面に値引き内容を表示する表面基材と、裏面に透明接着剤層を設けた透明シートと、表面基材と透明シートとを透明接着剤層よりも小さな接着力で接着する透明補助材とから構成される。
【特許文献１】特開２０００−８９６７４号公報
【発明の開示】
【発明が解決しようとする課題】
【０００３】
上記従来の値引きシールは、一定期間使用された後剥がされるが、このときシール接着剤の接着力が強く、商品や包装物が軟弱な包装フィルムなどであると、シールの剥ぎ取りと共に破れてしまい、商品を包装し直さなければならない。この商品の包装作業は、包装フィルムを一つずつ剥き取り、包装フィルムに貼り付けるタグに表示する商品の加工日付や販売価格等の必要な情報を包装装置に入力し直した上で、ラッピングを行っている。このように再包装は煩わしい作業となって多大な人員、労力及び時間を費す。しかも、開封により異物が混入する機会や、商品の加工日時などを付け直すときに改竄の機会を与えるなどの商品管理上のリスクが伴う。
また、特許文献1に記載のシールにあっては、商品管理用のバーコードを読み取り不能にするものであるため、バーコードの使用による商品管理ができない不都合がある。
そこで、本発明は、商品などに一旦貼り付けてもサービス期間の終了後に、商品やその包装物を傷めることなく容易に取り外しでき、再包装作業を回避し、しかも値引きサービスの前後において元の商品情報を継続して表示できる値引きシールを提供することを課題としている。
【課題を解決するための手段】
【０００４】
上記課題を解決するために、本発明においては、値引き対象であることを表示し、限定されたサービス期間中、商品Ｇ又は商品を覆う包装物Ｆに貼り付けられる値引きシール１において、裏面に接着部２ａを有するシール本体部２に隣接して、表面に値引き内容を表示するが裏面に接着部を有しない値引き表示部３を設け、シール本体部２と値引き表示部３との境界に切断線４を形成し、値引き期間が終了したら、値引き表示部３を、切断線４に沿ってシール本体部２から切り離して取り去り可能にした。
また、切断線４はミシン目で形成した。
さらに、シール本体部２の表面には値引き対象の商品名を表示することとした。
【発明の効果】
【０００５】
本発明の値引きシール１においては、限定したサービス期間中貼られた後、シール本体部２は貼られたままで値引き表示部３のみを切断線４から分離して取り去ることができるので、シールを剥ぎ取ることによる商品Ｇ又はその包装物Ｆの破損を防止でき、商品の再包装作業を省き、この作業にかかる人員、労力及び時間をなくすことができる。また、再包装による異物の混入や商品の加工日時などの改竄を防止して商品管理の安全性を向上させることができる。さらに、値引きシール１の貼り付け前後において商品の元々の価格等の表示や商品管理用のバーコードはそのまま読み取ることができるので、値引きシール１の使用前後にわたってそのまま売り場に陳列し商品管理を継続できる。
【発明を実施するための最良の形態】
【０００６】
以下、本発明の実施の一形態を図面を参照しながら説明する。
図１乃至図３おいて、値引きシール１は、例えば牛肉を収容するパック商品Ｇの包装フィルムＦの表面に張り付けて、包装フィルムＦに貼り付けられているラベルに表示された本来の販売価格から値引くことを表示するものである。値引きシール１は、台紙５に複数貼られた状態で保管される。
【０００７】
値引きシール１は横長の矩形をなし、前後方向のほぼ中央を横方向に伸びる切断線４を境に前後に連続してシール本体部２と値引表示部３とが設けられている。
シール本体部２の表面にはパック商品Ｇの商品名である「国産牛」の文字が印刷されており、裏面には包装フィルムＦに貼り付けるための接着剤層２ａが形成されている。
値引表示部３の表面には値引きの内容である「３割引」の文字が表面に印刷されており、裏面には接着剤層が形成されていない。
切断線４はシール本体部２と値引表示部３との境界に沿って形成されたミシン目により両者を容易に分離できるように構成されている。
【０００８】
この値引きシール１は、シール本体部２を台紙５から剥がし、図4に示すように値引き対象のパック商品Ｇの包装フィルムＦに貼り付け、限定されたサービス期間中売り場に陳列される。そして、パック商品Ｇの包装フィルムＦの表面にもともと貼り付けられているラベルＬに表示された本来の販売価格から値引きシール１に表示された割合の価格を値引く。通常は、レジにおいてバーコード及び文字により表示された販売価格が読み取られ、さらに値引きシール１により表示された値引き価格又は値引き率が差し引きされるように会計される。そして、サービス期間が終了したら、図５に示すように商品に貼った値引きシール１の値引表示部３を切断線４に従って切り離して、値引き販売を終了する。パック商品Ｇの包装フィルムＦは値引表示部３の切り取りによる傷むことがないから、包装処理を施すことなくそのまま売り場に陳列すればよい。
【産業上の利用可能性】
【０００９】
本発明は、商品を包装する包装フィルムに貼着して値引き表示し、簡単に取り去って値引きサービスを終了するのに有効である。
【図面の簡単な説明】
【００１０】
【図１】本発明に係る値引きシールを台紙に複数貼った状態の平面図である。
【図２】値引きシールの平面図である。
【図３】値引きシールの裏面図である。
【図４】値引きシールを貼り付けた商品の斜視図である。
【図５】値引き情報表示部を切り離す状態の商品の斜視図である。
【符号の説明】
【００１１】
１    値引きシール
２    シール本体部
３    値引表示部
４    切断線
５    台紙
Ｇ    商品
Ｆ    包装フィルム
Ｌ    ラベル
【図１】
2009098214.tif 000003
【図２】
2009098214.tif 000004
【図３】
2009098214.tif 000005
【図４】
2009098214.tif 000006
【図５】
2009098214.tif 000007